(57)【特許請求の範囲】
【請求項１】
内面および外面を有するシート材料、ならびに、折り曲げられてサウンドボックスの上部、上部フラップ、側壁、および底部を形成させる複数の折目を含む、カバーアセンブリと、
基部および複数のボックス壁を含み、前記側壁の前記内面に取り付けられた第１のボックス壁、前記第１のボックス壁に取り付けられた一対の第２のボックス壁、および、前記第１のボックス壁の反対側で前記第２のボックス壁に取り付けられた第３のボックス壁によって形成され、２つの容器に分ける内壁をさらに含み、当該内壁がこれ自体に隙間をさらに含み、前記基部が前記底部の前記内面に取り付けられている、内部ボックスアセンブリと、
内面および外面を有するシート材料を含み、１つ以上の区画および１つ以上のタブが形成されるよう折り曲げられ、一の区画が前記１つ以上の区画のうちの第１の区画であり、前記サウンドボックスの上部の内面に取り付けられ、前記第１の区画内に含まれる開口部が、前記第１の区画内の光センサに光が入るのを可能にする、区画アセンブリと、
印刷回路基板、コントローラおよびサウンドチップを含む集積回路、スピーカ、光センサ、ならびに電源を含み、前記印刷回路基板、前記サウンドチップ、前記スピーカ、前記光センサ、および前記電源が、電気的に接続している、サウンドモジュールアセンブリと、
前記第１の区画内に配置されたフレームアセンブリと、を有し、
前記サウンドモジュールアセンブリは、前記フレームアセンブリ内に保持され、前記光センサは、前記第１の区画の開口部に近接して並べられ、前記上部フラップが持ち上げられて前記サウンドボックスが光の方へ開けられたとき、光は前記光センサに入り、前記サウンドチップに、そこに録音されている音を再生させる、サウンドボックス。
【請求項２】
前記上部フラップが、マグネットクロージャをさらに含む、請求項１に記載のサウンドボックス。
【請求項３】
前記第３のボックス壁が、前記マグネットクロージャと磁気相互作用するための金属片を含む、請求項２に記載のサウンドボックス。
【請求項４】
前記第１の区画の壁が、第２の開口部をさらに含み、前記スピーカが前記第２の開口部に近接して配置されている、請求項１〜請求項３のうちのいずれか１つに記載のサウンドボックス。
【請求項５】
前記上部フラップに近接する前記１つ以上の区画のうちの第２の区画の端部が、前記タブによって閉じられている、請求項１〜請求項４のうちのいずれか１つに記載のサウンドボックス。
【請求項６】
前記側壁に近接する前記１つ以上の区画のうちの第２の区画の端部が、前記タブによって閉じられている、請求項１〜請求項４のうちのいずれか１つに記載のサウンドボックス。
【請求項７】
前記内壁は２つの内壁に分けられ、当該２つの内壁は互いに離されている、請求項１〜請求項６のうちのいずれか１つに記載のサウンドボックス。
【請求項８】
前記録音されている音は、赤ん坊の泣き声、猫の鳴き声、犬の鳴き声、「ハッピーバースデー」、「記念日おめでとう」、「おめでとう」、ライオンのうなり声、狼の遠吠えからなる群から選択される、請求項１〜請求項７のうちのいずれか１つに記載のサウンドボックス。
【請求項９】
前記サウンドボックスの上部が閉じられているとき、前記１つ以上の区画は、前記内部ボックスアセンブリ内に受けられている、請求項１〜請求項８のうちのいずれか１つに記載のサウンドボックス。
【請求項１０】
前記上部フラップは、前記内部ボックスアセンブリの側部の長さにわたる長さを有する、請求項１〜請求項９のうちのいずれか１つに記載のサウンドボックス。
【請求項１１】
内面および外面を有するシート材料、ならびに、折り曲げられてサウンドボックスの上部、上部フラップ、側壁、および底部を形成させる複数の折目を含み、前記上部フラップが、前記サウンドボックスを閉じるための手段をさらに含み、当該閉じるための手段が、マグネットクロージャである、カバーアセンブリと、
基部および複数のボックス壁を含み、前記ボックス壁が、互いに取り付けられてボックス構造を形成するとともに、前記基部に取り付けられて内部ボックスアセンブリを形成し、第１のボックス壁が、前記側壁の前記内面に取り付けられ、第３のボックス壁が、前記第１のボックス壁の反対側にあるとともに、前記マグネットクロージャと磁力によって相互作用する金属片をさらに含み、前記内部ボックスアセンブリが、前記内部ボックスアセンブリを２つの容器に分ける内壁をさらに含み、当該内壁がこれ自体に隙間をさらに有し、前記基部が前記底部の前記内面に取り付けられている、前記内部ボックスアセンブリと、
内面および外面を有するシート材料を含み、１つ以上の区画および１つ以上のタブが形成されるよう折り曲げられ、一の区画が前記１つ以上の区画のうちの第１の区画であり、前記サウンドボックスの上部の内面に取り付けられ、前記第１の区画内に含まれる開口部が、前記第１の区画内の光センサに光が入るのを可能にする、区画アセンブリと、
前記第１の区画内に配置されたフレームアセンブリと、
印刷回路基板、コントローラおよびサウンドチップを含む集積回路、スピーカ、光センサ、ならびに電源を含み、前記印刷回路基板、前記サウンドチップ、前記スピーカ、前記光センサ、および前記電源が、電気的に接続している、サウンドモジュールアセンブリと、を有し、
前記サウンドモジュールアセンブリは、前記フレームアセンブリ内に保持され、前記光センサは、前記第１の区画の開口部に近接して並べられ、前記上部フラップが持ち上げられて前記サウンドボックスが光の方へ開けられたとき、光は前記光センサに入り、前記サウンドチップに、そこに録音されている音を再生させる、サウンドボックス。
【請求項１２】
前記第１の区画の壁が、第２の開口部をさらに含み、前記スピーカが前記第２の開口部に近接して配置されている、請求項１１に記載のサウンドボックス。
【請求項１３】
前記上部フラップに近接する前記１つ以上の区画のうちの第２の区画の端部が、前記タブによって閉じられている、請求項１１または請求項１２に記載のサウンドボックス。
【請求項１４】
前記側壁に近接する前記１つ以上の区画のうちの第２の区画の端部が、前記タブによって閉じられている、請求項１１または請求項１２に記載のサウンドボックス。
【請求項１５】
前記内壁は２つの内壁に分けられ、当該２つの内壁は互いに離されている、請求項１１〜請求項１４のうちのいずれか１つに記載のサウンドボックス。
【請求項１６】
前記録音されている音は、赤ん坊の泣き声、猫の鳴き声、犬の鳴き声、「ハッピーバースデー」、「記念日おめでとう」、「おめでとう」、ライオンのうなり声、狼の遠吠えからなる群から選択される、請求項１１〜請求項１５のうちのいずれか１つに記載のサウンドボックス。
【請求項１７】
内面および外面を有するシート材料を折り曲げ、サウンドボックスの上部、マグネットクロージャを有する上部フラップ、側壁、および底部にすることによって、前記シート材料および複数の折目から、カバーアセンブリを準備する工程と、
基部および複数のボックス壁から、前記ボックス壁を互いに取り付けてボックス構造を形成するとともに、前記基部に前記ボックス構造を取り付けて内部ボックスアセンブリを形成し、前記内部ボックスアセンブリ内に、内壁を配置することによって、前記内部ボックスアセンブリを２つ以上の容器に分け、前記内壁はそれ自体に隙間をさらに有しており、第１のボックス壁を、前記側壁の前記内面に取り付け、第３のボックス壁は、前記第１のボックス壁の反対側にあるとともに、前記マグネットクロージャと磁力によって相互作用する金属片をさらに含み、前記基部を前記底部の前記内面に取り付けることによって、前記内部ボックスアセンブリを形成する工程と、
内面および外面を有するシート材料を含み、１つ以上の区画および１つ以上のタブが形成されるよう折り曲げられ、一の区画が第１の区画であり、前記第１の区画がそれ自体に開口部を有し、前記開口部が前記第１の区画に光が入るのを可能にする、区画アセンブリから、１つ以上の区画を準備する工程と、
前記サウンドボックスの上部の内面に前記１つ以上の区画を取り付ける工程と、
印刷回路基板、コントローラおよびサウンドチップを含む集積回路、スピーカ、光センサ、ならびに電源を含み、前記印刷回路基板、前記サウンドチップ、マイク、前記スピーカ、前記光センサ、および前記電源が、電気的に接続しているサウンドモジュールアセンブリを、フレームアセンブリ内に配置する工程と、
前記光センサが開口部に近接して並んでいる前記第１の区画内に、前記フレームアセンブリを配置する工程と、を含む、サウンドボックスの組み立て方法。
【請求項１８】
前記サウンドチップに録音する工程をさらに含む、請求項１７に記載のサウンドボックスの組み立て方法。
【請求項１９】
前記録音される音は、赤ん坊の泣き声、猫の鳴き声、犬の鳴き声、「ハッピーバースデー」、「記念日おめでとう」、「おめでとう」、ライオンのうなり声、狼の遠吠えからなる群から選択される、請求項１８に記載のサウンドボックスの組み立て方法。
【請求項２０】
前記サウンドモジュールアセンブリを、前記サウンドボックスの上部の内面に取り付ける工程をさらに含む、請求項１７〜請求項１９のうちのいずれか１つに記載のサウンドボックスの組み立て方法。
【発明の詳細な説明】
【技術分野】
【０００１】
発明の分野
本発明の実施形態は、物品を収容するためのサウンドボックスに関し、ボックスが開けられたときに録音を再生する、光によって作動するサウンドモジュールを含む。音は、サウンドボックスの製作者によって選ばれたあらゆる音にでき、動物、および／または、環境音、音楽、祝辞、他の種類の音声記録、ベル、笛等と多岐にわたることができる。
【背景技術】
【０００３】
発明の背景
近年、カードが開けられたときに録音を再生できるサウンドモジュールを含むグリーティングカードが売られている。しばしば、その録音は、「ハッピーバースデー」、「記念日おめでとう」、あるいは、他の種類の祝辞等のメッセージである。
【０００４】
より最近では、カードメーカーは、受領者がカードを開いたとき、個人的なメッセージが再生されるよう、購入者が、自身の記録をカードに作製することが可能なカードを販売している。
【０００５】
メーカーは、例えばギフト用品や販促品を入れる他の製品に、それらの品を含むパッケージが開けられたとき、再生される音が、使用者が何かに当選したことを告げる、あるいは、祝辞、または他者の気を受領者に引きつけてメーカーの製品を宣伝する他の音を再生するように、サウンドモジュールを配置することを始めている。
【０００６】
本発明の実施形態は、（上部、上部フラップ、側部、および底部を形成する）カバーアセンブリと、（物品を入れるための内部容器を有する）内部ボックスアセンブリと、区画アセンブリと、ボックス内部に取り付けられ光で作動するサウンドモジュールを含むサウンドモジュールアセンブリと、を含む。サウンドモジュールは、互いに電気的に接続された、サウンドチップ、光センサ、スピーカ、および電源を含む。音は、動物、および／または、環境音、音楽、祝辞、他の種類の音声記録、ベル、笛等と多岐にわたることができ、３０秒間まで再生可能である。
【０００７】
フラップを持ち上げることによってボックスが開けられると、その上部が上げられ、光がサウンドモジュールを含む区画における開口部に入った後に光センサに当たり、サウンドモジュールが、そこに録音されている音を再生させる。上部フラップにおけるマグネットクロージャは、内部ボックス壁における金属と相互作用し、サウンドボックスを閉じる。
【発明の概要】
【０００８】
発明の概要
本発明の目的は、使用者の要望に合わせて録音をカスタマイズ可能なサウンドボックスを提供することである。
【０００９】
本発明の他の目的は、ボックスが開けられ、光が光センサに当たったとき、光によって作動されるセンサが、録音をサウンドモジュールに再生させるサウンドボックスを提供することである。
【００１０】
本発明の実施形態は、様々なアセンブリを含み、閉じているときに光の確実な遮蔽を形成するサウンドボックスを提供する。これらのアセンブリは、カバーアセンブリ、内部ボックスアセンブリ、サウンドモジュールアセンブリ、および区画アセンブリを含む。
【００１１】
実施形態のサウンドボックスは、カバーアセンブリ、内部ボックスアセンブリ、区画アセンブリ、サウンドモジュールアセンブリ、およびフレームアセンブリを含む。内部ボックスアセンブリは、物品を入れる容器を含む。光によって作動されるサウンドモジュールは、カバーアセンブリ上部に取り付けられた区画の内側でフレーム内に含まれる。サウンドモジュールは、電気的に接続した、サウンドチップ、光センサ、スピーカ、および電源を含む。マグネットクロージャを含むフラップは、内部ボックスの壁と磁力によって相互作用し、サウンドボックスを閉じる。ボックスは、フラップを持ち上げ、その上部を上げることによって開けられ、そうして、光を、サウンドモジュールを含む区画における開口部に入った後に光センサに入射させ、サウンドモジュールに、そこに録音されている音を再生させる。その音は、動物、および／または、環境音、音楽、祝辞、他の種類の音声記録、ベル、笛等と多岐にわたることができる。
【図面の簡単な説明】
【００１２】
様々な視点の図面の簡単な説明
【図１】図１は本発明の実施形態の上面図である。
【図２】図２はカバーアセンブリの平面図である。
【図３】図３は開位置における図１の実施形態を示す。
【図４】図４は内部ボックスの平面図である。
【図５】図５はサウンドボックスの上部の底側の平面図である。
【図６】図６は図４に示される内部ボックスの側面図である。
【図７】図７は区画アセンブリを示す平面図である。
【図８Ａ】図８Ａはサウンドボックスの上部に取り付けられた区画アセンブリの側面図である。
【図８Ｂ】図８Ｂは図８Ａに示される区画アセンブリの断面図である。
【図９】図９は図１に示される実施形態のサウンドモジュールを示す。
【図１０】図１０は図１の実施形態における挿入の前のフレーム内の図９のサウンドモジュールを示す。
【発明を実施するための形態】
【００１３】
発明の詳細な説明
実施形態のカスタムサウンドボックス、符号１０は、図１に示される。サウンドボックス１０は、上部１２０、底部１４０、および側壁１６０を含む。上部は内面１２２および外面１２４を含み、底部は下面１４２および上面１４４を含み、上部１２０および底部１４０は、側壁１６０によって互いに接続されている。
【００１４】
カスタムサウンドボックス１０は、下に記載される様々なアセンブリから作製される。これらのアセンブリは、カバーアセンブリ１００（これはサウンドボックスの上部、側壁、および底部を形成する）、内部ボックスアセンブリ２００、区画アセンブリ３００、およびサウンドモジュールアセンブリ４００である。
【００１５】
カバーアセンブリ１００は、単一のシート材料１００を含み、その材料は、境界設定部分である数個の折目１１０を有し、そのため、区切られた部分が、上部１２０、上部フラップ１３０、底部１４０、および側壁１６０（図２）となる。代わりとなる実施形態においては、上部、底部、および側壁は、単一のシート材料から形成されるというよりはむしろ、別個のおよび／または多数の構成片から形成でき、複数の材料の組み合わせから形成することもできる。
【００１６】
内部ボックスアセンブリ２００は、基部２２０およびボックス壁２２２、２２４を含む。基部２２０は、上面１４４に取り付けられており、ボックス壁２２４は、側壁１６０に取り付けられている（図３参照）。側壁１６０に取り付けられているボックス壁の反対側のボックス壁２２４は、マグネットクロージャ１３２と相互作用する１つ以上の金属片２３６（破線で示される）を含む。内壁２３０は、内部ボックスアセンブリ２００を２つの容器２３２に分ける。図示されるように、内壁２３０は、連続しておらず、内壁を２つの内壁２３８に離す隙間２３４を含む。隙間２３４は、使用者が内部ボックスアセンブリ２００に指を挿入し、その内部に達し、いずれか、または両方の容器２３２の内容物を動かすのに十分なサイズである。示されている実施形態では、容器２３２は、例えば、一組のトランプ、ギフトカード、または他の物品等の物品を含むサイズである。一の実施形態では、サウンドボックスの寸法は、長さが約６．５インチ、幅が約４インチ、高さが約１．５インチである。他の実施形態（不図示）では、カスタムサウンドボックスのサイズは、より小さな物品を入れることができるように変更したり、あるいは、より大きな物品または小さい物品と大きい物品との組み合わせが収まるように大きくしたりできる。
【００１７】
図５は、サウンドボックスの上部１２２の底側の平面図である。サウンドボックスの上部１２０は、折り曲げ部１１０へ延在し、その折り曲げ部を越えて、上部はフラップ１３０で終わる。フラップ１３０は、マグネットクロージャ１３２（破線で示される）を含み、マグネットクロージャは、磁石である。磁石１３２の形状にほぼ一致する金属片１３４は、ボックス壁２２４の内部に含まれ、フラップ１３０に接触させられた際、サウンドボックスが開けられるまでサウンドボックス１０に光が入らないよう、サウンドボックス１０を閉じる。
【００１８】
示されている実施形態では、磁石１３２および金属片２３６は、円形で、ほぼ同じ大きさであり、確実にぴったりと合うようにしているが、磁石および金属片の他の形状やサイズが他の実施形態において利用できる。他の実施形態では、スナップ、面ファスナ、底部へスライドするタブ、掛け金、ジッパー、再貼付け可能な粘着剤等の異なるタイプのクロージャが利用できる。
【００１９】
区画アセンブリ３００は、単一のシート材料３０２（図７〜８）からほぼ形成されており、その端部３０４および３０６は折り曲げられ、２つの区画３１０および３２０が形成される。符号３０８は、材料３０２が折り曲げられる折り曲げ部を示す。符号３１２、３１４、および３１６、ならびに、３２２、３２４、および３２６は、それぞれ、区画３１０および３２０の第１側部、底部、第２側部を指す。区画アセンブリ３００は、区画底部３１４および３２４に塗布された接着剤によって、サウンドボックスの上部に取り付けられる。
【００２０】
タブ３３０および３４０は、折り曲げられ、それぞれ、区画３１０および３２０の端壁３３２および３４２を形成する。他のタブ３５０は、第１の区画３１０の他端において、折り重ねられ、クロージャ３５２として機能する。第１の区画３１０には、１つ以上の開口部３６０が形成され、光が光センサ４１６に入るのを可能にし、スピーカ４１４からの音が聞こえるようにする。サウンドモジュール４００は、第１の区画３１０内に収容される。
【００２１】
２つの区画３１０および３２０は、ボックスの上部の内面１２２に取り付けられる。第２の区画１３２は閉じられず、通常は空である。代わりとなる実施形態においては、第２の区画１３２は、フラップによって閉じることが可能である。
【００２２】
サウンドモジュール４００は、印刷回路基板４１０を含み、その上では、集積回路チップ／サウンドチップ４１２、スピーカ４１４、配線４１６、光センサ４１８、および、１つ以上の電池４２０を含む電源４２０が、互いに電気的に接続されている。電池４２０は、取付クリップ４２２によって保持されている。取付クリップ４２２は、回路基板４１０に恒久的に取り付け可能に、あるいは、使用者によって取り外しおよび再取り付け可能なように、配置できる。
【００２３】
示されている実施形態では、サウンドチップ４１２は、３０秒の長さまでの録音が可能である。他の実施形態では、６０秒、１００秒、２００秒、または３００秒等の異なる録音時間を有するサウンドチップが利用できる。録音される音は、動物、および／または、環境音、音楽、祝辞、他の種類の音声記録、ベル、笛等と多岐にわたることができ、概して、録音を準備する個人の想像性によって制限される。再生されるかもしれない音のいくつかの例は、これらに限定されないが、赤ん坊の泣き声、猫の鳴き声、犬の鳴き声、「ハッピーバースデー」、「記念日おめでとう」、「おめでとう」、ライオンのうなり声、狼の遠吠えである。録音用の異なる期間を有するサウンドチップを利用することも可能である。サウンドモジュール４００は、一般に市販されている部品を使用して準備される。所望の音は、サウンドチップをプログラミングする、当業者に知られた一般的な方法によって、サウンドチップ４１２に録音される。代わりとなる実施形態においては、工場でプログラムされた図示されたサウンドチップ４１２の代わりに、マイクを利用して、あるいは、テープレコーダ、ミュージックプレイヤ、オーディオビデオプレイヤ、タブレットコンピュータ、スマートフォン等のオーディオ機器に接続して、使用者によって録音できるサウンドチップが利用できる。
【００２４】
１つ以上の代わりとなる電源４２０が、電池４２０の代わりとして、またはその補完として、設けられることも可能である。代わりとなるこれらの電源は、太陽電池、自動車等の乗り物からサウンドモジュール４００に電力を供給するアダプタ、または、北米における交流電流「ＡＣ」等、サウンドボックスが使用される国に適した一般的な電源を使用してサウンドモジュール４００に電力を供給するアダプタを含み得る。
【００２５】
サウンドモジュール４００は、粘着剤、両面テープ、ファスナ、面ファスナ、保持クリップ、保持ピン、スナップ、または他の取付手段等の何らかの取付手段によって、サウンドボックス１０内に配置できる。図示されている実施形態では、サウンドモジュール４００は、波形の材料片を含むことができるフレーム５００の切欠き５１０内に配置されており、サウンドモジュール４００を含むフレーム５００は、区画３１０内に配置され、そして、サウンドモジュール内の光センサ４１６が、サウンドボックス１０の内部に面する区画３１０の表面における開口部３６０と並ぶ。フレームは、製作者の必要に応じ、紙、板紙、厚紙、布、金属、ウレタンまたは発泡スチレン等の発泡体、プラスチック等と多岐にわたる材料のうちのいずれか好適な種類から選択できる。
【００２６】
例に過ぎず、限定されないが、紙、板紙、厚紙、段ボール紙、クラフト紙、プラスチック、または金属等、適切な形状に形作ることができる、多岐にわたる１つ以上の好適な材料から、サウンドボックス１０は作製できる。なめらかな光沢仕上げ、ざらつきのある仕上げ、しるしまたは他の飾りによる装飾等、より「仕上がった」外観をサウンドボックス１０が有するように見えるように、材料を選択することが可能である。同様に、例えば、ビロード、シルク、またはサテンのような布等の裏地（不図示）が、サウンドボックスの最終利用者に応じて、底部区画、および上部の内表面の一方または両方に、配置可能である。本発明のカスタムサウンドボックス１０のいくつかの典型的使用は、宣伝または販売促進の物品として、ギフト用の箱、便利箱、道具箱、または、他のパッケージの使用を含むことができる。
【００２７】
カスタムサウンドボックス１０は、上述した様々なアセンブリから作製される。カバーアセンブリ１００は、内部ボックスアセンブリ２００に取り付けられており、サウンドボックスの底の上側にそのボックスの底が取り付けられ、クロージャ機構の一部である金属片を含まない側であるボックス壁２２４側に側壁１６０が取り付けられる。区画アセンブリ３００は、粘着剤、または他の一般的な取付手段によって、サウンドボックスの上部の内面に取り付けられる。
【００２８】
サウンドモジュール４００はフレーム５００内へ配置され、組み立てられたサウンドモジュールは第１の区画３１０に挿入され、そこで、光センサ４１６およびスピーカ４１４が第１の区画内の開口部３６０と並ぶように置かれる。サウンドモジュール４００は、上述したように、粘着剤によって所定の場所に保持される。組み立てられて、サウンドボックスが、金属片を含むボックス壁２２４と相互作用するようフラップ１６０が持ってこられることによって、閉じられたとき、サウンドボックスはマグネットクロージャによって閉じられ、光の確実な遮蔽が形成される。
【００２９】
フラップ１６０が持ち上げられ、サウンドボックスの上部が内部ボックスから離されたとき、光は、第１の区画３１０内の開口部３６０を通じて入った後、光センサ４１６に当たり、サウンドモジュール４００に録音された音をサウンドモジュールに再生させる。
【００３０】
代わりとなる実施形態においては、サウンドボックスは、区画アセンブリ３００なしで作製でき、サウンドモジュール４００およびフレームアセンブリ５００が、サウンドボックスの上部の内表面に取り付けられる、または、サウンドモジュール４００自体が、フレームアセンブリなしで、サウンドボックスの上部の内表面１２２に取り付けられる。
【００３１】
本発明の実施形態は、ある程度詳細に記載されたが、本開示は単なる例によってなされているにすぎず、部品の構造や配置における数多くの変化が、本発明の精神と範囲から逸脱することなく、再分類されてもよいことが理解されるべきである。
【図１】
0006659728.tif 000002
【図２】
0006659728.tif 000003
【図３】
0006659728.tif 000004
【図４】
0006659728.tif 000005
【図５】
0006659728.tif 000006
【図６】
0006659728.tif 000007
【図７】
0006659728.tif 000008
【図８Ａ】
0006659728.tif 000009
【図８Ｂ】
0006659728.tif 000010
【図９】
0006659728.tif 000011
【図１０】
0006659728.tif 000012